(57)【特許請求の範囲】
【請求項１】
本体（２０）の下面に空気を吸い込むための吸い込み開口（２１）が位置する天井設置の空気調和装置の室内機であって、
運転停止時は前記吸い込み開口（２１）を閉じる閉位置に在って、前記吸い込み開口（２１）から空気を吸い込む動作を含む運転時は前記吸い込み開口（２１）を開いた開位置に移動し、メンテナンス時に前記本体（２０）から離れたメンテナンス位置まで降下するパネル（４）と、
前記パネル（４）を上昇方向および降下方向へ移動させる昇降手段（７）と、
前記吸い込み開口（２１）から吸い込まれた空気に含まれる塵埃を除去するフィルタ（６）と、
前記運転停止時、及び前記吸い込み開口（２１）から空気を吸い込む動作を含む運転時には前記フィルタ（６）を前記本体（２０）に支持させ、前記メンテナンス時には前記フィルタ（６）を前記パネル（４）に支持させる切替え動作を行うフィルタ支持状態切替え手段（９）と、
前記昇降手段（７）を介して前記パネル（４）の移動量を制御し、さらに前記フィルタ支持状態切替え手段（９）を介して前記フィルタ（６）を前記パネル（４）に支持される状態および前記本体（２０）に支持される状態のいずれかに切替える制御部（１０）と、
を備えた、
空気調和装置の室内機（２）。
【請求項２】
前記フィルタ（６）が、常に前記本体（２０）又は前記パネル（４）のいずれかに支持されている、
請求項１に記載の空気調和装置の室内機（２）。
【請求項３】
前記メンテナンス時以外は、前記フィルタ（６）が前記本体（２０）に支持されている、
請求項１に記載の空気調和装置の室内機（２）。
【請求項４】
前記停止時に、前記フィルタ支持状態切替え手段（９）が前記切替え動作を行う、
請求項１に記載の空気調和装置の室内機（２）。
【請求項５】
前記パネル（４）の一端部が前記吸い込み開口（２１）付近で前記本体（２０）に回転可能に支持される状態を生成する連結動作と前記連結動作を解除する解除動作とを行うパネル支持手段（８）をさらに備え、
前記パネル（４）は、常に前記昇降手段（７）に複数点で支持されており、前記メンテナンス時以外には、さらに前記パネル支持手段（８）の前記連結動作によって前記本体（２０）に支持される、
請求項３に記載の空気調和装置の室内機（２）。
【請求項６】
前記パネル支持手段（８）の前記連結動作または前記解除動作と前記フィルタ支持状態切替え手段（９）の前記切替え動作とが連動している、
請求項５に記載の空気調和装置の室内機（２）。
【請求項７】
前記フィルタ支持状態切替え手段（９）は、
常に前記フィルタ（６）に保持され第１方向へ移動することによって前記パネル（４）による支持から外れて前記本体（２０）に支持されるスライド部材（６２）と、
前記スライド部材（６２）を前記第１方向へ移動させるカム部材（６３）と、
前記カム部材（６３）を動作させる駆動部と、
前記第１方向とは反対の第２方向へ前記スライド部材（６２）を付勢するスプリング（６４）と、
を有する、
請求項６に記載の空気調和装置の室内機（２）。
【請求項８】
前記パネル支持手段（８）は、
前記パネル（４）の前記端部に設けられ前記パネル（４）の回転中心を成す第１回転支持部（４２）と、
前記本体（２０）に移動可能に保持され前記第１回転支持部（４２）と嵌合して前記第１回転支持部（４２）を回転可能に支持する第２回転支持部（４３）と、
前記第２回転支持部（４３）を前記第１回転支持部（４２）に向って移動させる駆動部と、
を有する、
請求項７に記載の空気調和装置の室内機（２）。
【請求項９】
前記パネル支持手段（８）の駆動部と、前記フィルタ支持状態切替え手段（９）の駆動部とが共通である、
請求項８に記載の空気調和装置の室内機（２）。
【発明の詳細な説明】
【技術分野】
【０００１】
本発明は、空気調和装置の室内機に関し、特に、下面に設けられた吸い込み開口をパネルで塞ぐ室内機に関する。
【背景技術】
【０００２】
従来、天井設置型の室内機として、化粧パネルの中央開口を昇降可能なセンターパネルで塞ぐ室内機が広く知られている（例えば、特許文献１参照）。その室内機では、センターパネルは紐で吊られており、昇降装置がその紐を繰り出すことによってセンターパネルが降下し、紐を巻き取ることによってセンターパネルが上昇する。
【０００３】
センターパネルは、フィルタのメンテナンス時に降下し、運転時および停止時には上昇して中央開口を閉じる。つまり中央開口は、フィルタのメンテナンス時に全開するのみで、通常状態では両側の吸込口を残して常に閉じられている。
【特許文献１】特開平１０−１９６９９９号公報
【発明の開示】
【発明が解決しようとする課題】
【０００４】
上記のようなパネルを昇降させる室内機では、フィルタがパネルに固定され、中央開口両側の吸込口が常時開いた状態であるため、その吸込口を通してフィルタや室内機内部が人目に触れ、それが意匠性を著しく低下させていた。また、意匠性を向上させる目的で、運転停止時に吸込口を閉じることが検討されているが、吸込口の開閉機構が新たに必要となるため、室内機が大型化する。
【０００５】
本発明の課題は、開閉可能な開口全域を吸込口として使用し、運転停止時にその開口を完全に閉じることができる意匠性に優れた空気調和装置の室内機を提供することにある。
【課題を解決するための手段】
【０００６】
第１発明に係る空気調和装置の室内機は、本体の下面に空気を吸い込むための吸い込み開口が位置する天井設置の空気調和装置の室内機であって、パネルと、昇降手段と、フィルタと、フィルタ支持状態切替え手段と、制御部とを備えている。パネルは、運転停止時は吸い込み開口を閉じる閉位置に在って、吸い込み開口から空気を吸い込む動作を含む運転時は吸い込み開口を開いた開位置に移動し、メンテナンス時に本体から離れたメンテナンス位置まで降下する。昇降手段は、パネルを上昇方向および降下方向へ移動させる。フィルタは、吸い込み開口から吸い込まれた空気に含まれる塵埃を除去する。フィルタ支持状態切替え手段は、運転停止時、及び吸い込み開口から空気を吸い込む動作を含む運転時にはフィルタを本体に支持させ、メンテナンス時にはフィルタをパネルに支持させる切替え動作を行う。制御部は、昇降手段を介してパネルの移動量を制御し、さらにフィルタ支持状態切替え手段を介してフィルタをパネルに支持される状態および本体に支持される状態のいずれかに切替える。
【０００７】
この室内機では、フィルタの支持母体を切替えることができるので、空気吸い込み時及びメンテナンス時以外は、吸い込み開口をパネルで完全に塞ぐことが可能となる。その結果、室内機の内部が吸い込み開口を通して人目に触れる状況が減少し、意匠性が向上する。また、ライフサイクルの大部分を占める通常時において、フィルタとパネルとが連結されていないので、昇降手段に作用する負荷はパネルの荷重だけとなり軽量である。その結果、昇降手段に作用する機械的負荷が軽減され、耐久性が向上する。
【０００８】
第２発明に係る空気調和装置の室内機は、第１発明に係る空気調和装置の室内機であって、フィルタが、常に本体又はパネルのいずれかに支持されている。
【０００９】
この室内機では、フィルタが何にも支持されていない不安定な状態が存在しないので、フィルタの落下がなく安全である。
【００１０】
第３発明に係る空気調和装置の室内機は、第１発明に係る空気調和装置の室内機であって、メンテナンス時以外は、フィルタが本体に支持されている。
【００１１】
この室内機では、昇降手段にはパネルの荷重が作用しているので、フィルタが本体に支持されることによって、昇降手段に作用する負荷はパネルの荷重だけとなり軽量である。その結果、室内機の輸送時或は設置時の振動による機械的ダメージが軽減され、耐久性が向上する。
【００１２】
第４発明に係る空気調和装置の室内機は、第１発明に係る空気調和装置の室内機であって、停止時に、フィルタ支持状態切替え手段が切替え動作を行う。
【００１３】
この室内機では、運転が停止しているときにフィルタ支持母体の切替え動作が行われるので、切替え動作時の振動等によってフィルタから塵埃が飛散した場合でも、パネル上に落下するだけであり、空調対象空間の床面に落下することはない。
【００１４】
第５発明に係る空気調和装置の室内機は、第３発明に係る空気調和装置の室内機であって、パネル支持手段をさらに備えている。パネル支持手段は、パネルの一端部が吸い込み開口付近で本体に回転可能に支持される状態を生成する連結動作とその連結動作を解除する解除動作とを行う。パネルは、常に昇降手段に複数点で支持されており、メンテナンス時以外には、さらにパネル支持手段の連結動作によって本体に支持される。
【００１５】
パネルが軽量な場合、天井の振動や吸い込み空気の風圧で揺れ易くなるが、この室内機では、パネル支持手段がパネルを支持することによって、パネルの揺れに対する抗力が高まる。
【００１６】
第６発明に係る空気調和装置の室内機は、第５発明に係る空気調和装置の室内機であって、パネル支持手段の連結動作または解除動作とフィルタ支持状態切替え手段の切替え動作とが連動している。
【００１７】
この室内機では、動作音の発生時間が短縮されるので、使用者に違和感を与えることが防止される。
【００１８】
第７発明に係る空気調和装置の室内機は、第６発明に係る空気調和装置の室内機であって、フィルタ支持状態切替え手段が、スライド部材と、カム部材と、駆動部と、スプリングとを有する。スライド部材は、常にフィルタに保持され第１方向へ移動することによってパネルによる支持から外れて本体に支持される。カム部材は、スライド部材を第１方向へ移動させる。駆動部は、カム部材を動作させる。スプリングは、第１方向とは反対の第２方向へスライド部材を付勢する。
【００１９】
この室内機では、カム部材がスライド部材から離れたとき、スプリングによってスライド部材が元の位置へ復帰する。このため、スライド部材の移動機構が簡素化され、小型で軽量となる。
【００２０】
第８発明に係る空気調和装置の室内機は、第７発明に係る空気調和装置の室内機であって、パネル支持手段は、第１回転支持部と、第２回転支持部と、駆動部とを有している。第１回転支持部は、パネルの端部に設けられパネルの回転中心を成す。第２回転支持部は、本体に移動可能に保持され第１回転支持部と嵌合して第１回転支持部を回転可能に支持する。駆動部は、第２回転支持部を第１回転支持部に向って移動させる。
【００２１】
この室内機では、パネル支持手段がパネル端部を軸支しているので、パネルが吸い込み開口を開いているときに、吸い込み開口を通過する空気の風圧で不安定に遥動することがない。
【００２２】
第９発明に係る空気調和装置の室内機は、第８発明に係る空気調和装置の室内機であって、パネル支持手段の駆動部とフィルタ支持状態切替え手段の駆動部とが共通である。
【００２３】
この室内機では、パネル支持手段の連結動作とフィルタ支持状態切替え手段の切替え動作とが、共通の駆動部によって行なわれるので、動作時間が短縮し応答性が向上する。さらに、部品点数の低減となり低コストである。
【発明の効果】
【００２４】
第１発明に係る空気調和装置の室内機では、フィルタの支持母体を切替えることができるので、空気吸い込み時及びメンテナンス時以外は、吸い込み開口をパネルで完全に塞ぐことが可能となる。その結果、室内機の内部が吸い込み開口を通して人目に触れる状況が減少し、意匠性が向上する。また、ライフサイクルの大部分を占める通常時において、フィルタとパネルとが連結されていないので、昇降手段に作用する負荷はパネルの荷重だけとなり軽量である。その結果、昇降手段に作用する機械的負荷が軽減され、耐久性が向上する。
【００２５】
第２発明に係る空気調和装置の室内機では、フィルタが何にも支持されていない不安定な状態が存在しないので、フィルタの落下がなく安全である。
【００２６】
第３発明に係る空気調和装置の室内機では、昇降手段にはパネルの荷重が作用しているので、フィルタが本体に支持されることによって、昇降手段に作用する負荷はパネルの荷重だけとなり軽量である。その結果、室内機の輸送時或は設置時の振動による機械的ダメージが軽減され、耐久性が向上する。
【００２７】
第４発明に係る空気調和装置の室内機では、運転が停止しているときにフィルタ支持母体の切替え動作が行われるので、切替え動作時の振動等によってフィルタから塵埃が飛散した場合でも、パネル上に落下するだけであり、空調対象空間の床面に落下することはない。
【００２８】
第５発明に係る空気調和装置の室内機では、パネル支持手段がパネルを支持することによって、パネルの揺れに対する抗力が高まる。
【００２９】
第６発明に係る空気調和装置の室内機では、動作音の発生時間が短縮されるので、使用者に違和感を与えることが防止される。
【００３０】
第７発明に係る空気調和装置の室内機では、カム部材がスライド部材から離れたとき、スプリングによってスライド部材が元の位置へ復帰する。このため、スライド部材の移動機構が簡素化され、小型で軽量となる。
【００３１】
第８発明に係る空気調和装置の室内機では、パネル支持手段がパネル端部を軸支しているので、パネルが吸い込み開口を開いているときに、吸い込み開口を通過する空気の風圧で不安定に遥動することがない。
【００３２】
第９発明に係る空気調和装置の室内機では、パネル支持手段の連結動作とフィルタ支持状態切替え手段の切替え動作とが、共通の駆動部によって行なわれるので、動作時間が短縮し応答性が向上する。さらに、部品点数の低減となり低コストである。
【発明を実施するための最良の形態】
【００３３】
以下図面を参照しながら、本発明の実施形態について説明する。なお、以下の実施形態は、本発明の具体例であって、本発明の技術的範囲を限定するものではない。
【００３４】
＜室内機＞
図１（ａ）は、本発明の一実施形態に係る室内機の運転停止時の斜視図であり、図１（ｂ）は、同室内機の運転時の斜視図である。図１（ａ），（ｂ）において、空気調和装置の室内機２は、下面に吸い込み開口２１及び吹出口２２を有する本体２０、吸い込み開口２１を開閉するフラットパネル４、及び吸い込み開口２１から吸込まれた空気に含まれる塵埃を除去するフィルタ６を備えている。吸い込み開口２１と吹出口２２とは隣接しており、吸い込み開口２１の面積は、吹出口２２よりも大きく、本体２０下面の相当範囲を占有している。
【００３５】
（フラットパネル４）
フラットパネル４は、吸い込み開口２１全域を塞ぐことができる大きさであり、本体２０側から延びる２本の紐７１で吊り上げられている。２本の紐７１は、フラットパネル４の長手方向の両端部を支持し、図１（ｂ）において手前側の端部を吊り上げる紐７１は、吹出口２２から離れた第１端部４ａ近傍に接続され、図１（ｂ）において奥側の端部を吊り上げる紐７１は、吹出口２２に近い第２端部４ｂ近傍に接続されている。
【００３６】
運転時、フラットパネル４は降下して吸い込み開口２１を開けるが、降下する量が第１端部４ａと第２端部４ｂとでは異なり、第１端部４ａが第２端部４ｂよりも大きく降下するので、フラットパネル４は天井面に対して傾斜するように回動して、吸い込み開口２１を開く。
【００３７】
（フィルタ６）
図２は、フィルタの斜視図である。図２において、フィルタエレメント６ｃは、周囲をフレーム６ａで保持されている。また、フレーム６ａの対向する長辺同士は、補強アーム６ｂで繋がっており、長辺の撓みが抑制されている。
【００３８】
フィルタエレメント６ｃは、ポリエチレンテレフタレート製の繊維（以後、ＰＥＴ繊維と呼ぶ）をプリーツ織りした網状部材であり、折り山の形状を保護するため、補強アーム６ｂは、フィルタエレメント６ｃの折り山に合わせた形状に成形されている。
【００３９】
フィルタエレメント６ｃの繊維を細くすることによって、フィルタ６の塵埃を除去する性能を低下させずに通風抵抗を下げることができるが、繊維の折り目を維持する強度が弱くなるので、上記の補強アーム６ｂが、折り山を維持する機能を兼ねている。また、繊維の折り目を維持する強度が高まるように、材質や径の異なる繊維を、ＰＥＴ繊維同士の間に入れて織り込んでもよい。
【００４０】
図３は、本発明の一実施形態に係る室内機のメンテナンス時の斜視図である。図３において、フラットパネル４は、フィルタ６を載せた状態で降下および上昇することができ、ユーザーは、天井を見上げることなくフィルタ６を取り外して清掃することができる。
【００４１】
フラットパネル４を吊り上げる紐７１は、昇降ユニット７に接続されている。この昇降ユニット７が紐７１を繰り出すことによって、フラットパネル４が降下し、紐７１を巻き取ることによって、フラットパネル４が上昇する。
【００４２】
なお、便宜上、メンテナンス時に、ユーザーが台などに登ることなくフラットパネル４からフィルタ６を脱着することできる位置をメンテナンス位置と呼ぶ。また、運転時にフラットパネル４が吸い込み開口２１を開いた位置を開位置と呼び、運転停止時にフラットパネル４が吸い込み開口２１を閉じた位置を閉位置と呼ぶ。
【００４３】
（昇降ユニット７）
図４は、昇降ユニット内部の正面図である。図４において、昇降ユニット７は、紐７１以外に、滑車７２、巻取り歯車７３、駆動歯車７４、モータ７５およびスイッチ７６を備えている。
【００４４】
滑車７２は、滑車部７２ａとカム部７２ｂとが一体に成形されており、滑車部７２ａは、紐７１を支え、紐７１の移動に伴って回転する。カム部７２ｂは、小径曲面と大径曲面とそれら両曲面を結ぶ平面とから成る。
【００４５】
巻取り歯車７３は、紐７１を巻取るボビン７３ａと歯車部７３ｂとが一体に成形されている。駆動歯車７４は、巻取り歯車７３の歯車部７３ｂと噛み合い、ボビン７３ａを回転させる。
【００４６】
モータ７５は、ステッピングモータであり駆動歯車７４を回転させる。モータ７５の回転数は、制御部１０から供給されるパルス数によって制御される。なお、制御部１０は、ＣＰＵ、メモリ及びモータドライブ回路を搭載しており、昇降ユニット７から離れた他の位置に配置されている。モータ７５と制御部１０はワイヤハーネスによって電気的に接続されている。
【００４７】
スイッチ７６は、レバー７６ａを有するマイクロスイッチであり、レバー７６ａが押されることによってオンする。レバー７６ａは、常に滑車７２のカム部７２ｂと接触しており、カム部７２ｂの大径曲面と対峙したときに押される。スイッチ７６も、制御部１０とワイヤハーネスによって電気的に接続されている。
【００４８】
（昇降ユニット７の動作）
図４において、昇降ユニット７が紐７１を繰り出す場合、モータ７５は駆動歯車７４をＣＷ方向へ回転させる。これによって、巻取り歯車７３は、紐７１を繰り出す方向に回転する。一方、昇降ユニット７が紐７１を巻き取る場合、モータ７５は駆動歯車７４をＣＣＷ方向へ回転させる。これによって、巻取り歯車７３は、紐７１を巻き取る方向に回転する。紐の繰り出し量および巻き取り量は、モータ７５の回転量に比例しており、制御部１０が、モータ７５へ供給するパルス数を制御することによって、紐７１の繰り出し量および巻き取り量が制御される。
【００４９】
紐７１の先端にはフラットパネル４が連結されているため、紐７１には常に張力が発生しており、紐７１が繰り出されるとき、又は紐７１が巻き取られるとき、滑車部７２ａが紐７１との摩擦力によって回転する。このとき、カム部７２ｂも回転するので、スイッチ７６は、レバー７６ａがカム部７２ｂの大径曲面と対峙したときにオン信号を発し、小径曲面と対峙したときにはオフ信号を発する。滑車７２が回転している間は、オン信号とオフ信号が交互に発生し、これらの信号は、すべて制御部１０に入力される。
【００５０】
しかし、何らかの要因で紐７１が弛み張力がなくなった場合、例えば、メンテナンスのために紐７１を繰り出してフラットパネル４を降下させているときに、所定の繰り出し量に達する前に、フラットパネル４がテーブルなどの上に着地して停止した場合には、紐７１と滑車部７２ａとの摩擦力が減退し滑車７２が停止する。このため、スイッチ７６からは、オン信号又はオフ信号のいずれか一方が連続的に出力される。このとき、制御部１０では、モータ７５が回転しているときにスイッチ７６からの信号が一定になっていることから、フラットパネル４が何らかの障害物によって停止したと推定し、直ちにモータ７５を停止させる。
【００５１】
（パネル支持手段８とフィルタ支持状態切替え手段９）
図５は、図１（ａ）の室内機の内部を上方から視たときの部分斜視図である。図５において、フラットパネル４には、リブ４１と軸受４２とが設けられている。リブ４１には孔４１ａと溝４１ｂとが形成されており、孔４１ａには紐７１の先端が連結される。軸受４２は、長孔となるように成形されている。
【００５２】
フィルタ６のフレーム６ａは第２フレーム６１に固定され、第２フレーム６１はフラットパネル４に脱着可能に支持される。第２フレーム６１の端部には、矢印Ｂの方向に摺動可能なスライド部材６２が収納されている。スライド部材６２は傾斜部６２ａ、突起部６２ｂ及び係止部６２ｃを有している。図５では、スライド部材６２の突起部６２ｂが、リブ４１の溝４１ｂに嵌まり込んでいるので、フィルタ６はフラットパネル４に支持された状態である。
【００５３】
フラットパネル４の上方には、駆動ユニット５０、軸４３及び押しカム６３が設置されている。駆動ユニット５０は、軸４３及び押しカム６３を矢印Ａの方向へ移動させることができる。このとき、軸４３は軸受４２に差し込まれ、フラットパネル４が軸４３に回転可能に支持される。この一連の動作が連結動作であり、軸受４２、軸４３および駆動ユニット５０は、パネル支持手段８となる。
【００５４】
軸４３が軸受４２へ差し込まれると同時に、押しカム６３は、スライド部材６２の傾斜部６２ａを押しながら、第２フレーム６１に差し込まれる。このとき、突起部６２ｂが溝４１ｂから外れ、係止部６２ｃが本体２０に架かる。その結果、フラットパネル４に支持されていたフィルタ６が、本体２０に支持されるようになる。この一連の動作が切替え動作であり、スライド部材６２、押しカム６３及び駆動ユニット５０は、フィルタ支持状態切替え手段９となる。
【００５５】
（駆動ユニット５０）
図６は、駆動ユニットの内部を示す断面図である。図６において、駆動ユニット５０は、ケース５１、モータ５２、ピニオンギア５３、ラック５４及びクランクシャフト５５を備えている。ケース５１の内部は、第１区画５１１、第２区画５１２及び第３区画５１３の３つの区画に仕切られている。モータ５２はステッピングモータであり、回転数は制御部１０から供給されるパルス数によって制御される。モータ５２は、第１区画５１１に収納されているが、回転軸は第２区画５１２にある。
【００５６】
ピニオンギア５３とラック５４とは、互いに噛み合った状態で第２区画５１２に収納されている。ピニオンギア５３は、モータ５２の回転軸に連結されているので、モータ５２の回転によってピニオンギア５３が回転し、ラック５４が滑り移動する。
【００５７】
クランクシャフト５５は、１つの回転中心軸５５ａと、３つのクランク軸５５１，５５２，５５３とを有している。回転中心軸５５ａは第３区画５１３に支持され、第１クランク軸５５１はラック５４に連結されている。さらに、第２クランク軸５５２は軸４３に連結され、第３クランク軸５５３は押しカム６３に連結されている。
【００５８】
（駆動ユニット５０の動作）
図６において、モータ５２がピニオンギア５３をＣ方向へ回転させると、ラック５４がＤ方向へ滑り移動する。このとき、ラック５４に連結されている第１クランク軸５５１もＤ方向に移動するので、クランクシャフト５５は、回転中心軸５５ａを中心にＥ方向へ回転する。その結果、第２クランク軸５５２が軸４３を矢印Ａの方向へ押し出し、第３クランク軸５５３が押しカム６３を矢印Ａの方向へ押し出す。
【００５９】
（スライド部材６２）
図７は、第２フレーム及びスライド部材の斜視図である。図７において、スライド部材６２は傾斜部６２ａ、突起部６２ｂ、係止部６２ｃ及び四角孔６２ｄを有している。四角孔６２ｄの一方の端部には、第２フレーム６１の停止板６１ａが入りこみ、さらにこの停止板６１ａと四角孔６２ｄの他方の端部との間にスプリング６４が配置される。傾斜部６２ａが押しカム６３（図５参照）に押されて、スライド部材６２が矢印Ｂの方向に移動するときは、スプリング６４を圧縮しながら移動するので、スライド部材６２は、矢印Ｂとは反対方向の抗力を受ける。
【００６０】
（スライド部材６２の動作）
図８は、図５の軸および押しカムを移動させた状態の斜視図である。図８において、押しカム６３が、スライド部材６２の傾斜部６２ａを押すことによって、スライド部材６２に矢印Ｂ方向の力が作用し移動する。この移動によって、突起部６２ｂが溝４１ｂから外れ、フラットパネル４のフィルタ６に対する支持が解除される。同時に、係止部６２ｃが突出して本体２０に架かるので、フィルタ６は本体２０に支持された状態となる。
【００６１】
（運転時のフラットパネル４の動作）
図９は、図８のフラットパネルを開いた状態の斜視図である。図９において、紐７１が繰り出されると、フラットパネル４は、自重によって降下する。軸受４２は、長孔に成形されているので、軸受４２に軸４３が差し込まれた状態であっても、軸受４２と軸４３との間には鉛直方向のクリアランスが存在する。その結果、フラットパネル４の第２端部４ｂは、軸受４２と軸４３との鉛直方向のクリアランス分だけ降下して停止する。その後は、フラットパネル４の第１端部４ａが、軸４３を中心に回転しながら所定距離だけ降下し、吸い込み開口２１を開状態にする。なお、軸４３には、フラットパネル４が軸方向へ移動することを規制するため、軸４３より大きい直径の円柱から成る規制部４３ａが形成されている。
【００６２】
一方、上記の開状態から、紐７１を巻き取ると、第１端部４ａは軸４３を中心に吸い込み開口２１を閉じる方向に回転し、第１端部４ａと第２端部４ｂとが同じ高さになったときに、フラットパネル４は、ほぼ水平となり、その後、第１端部４ａ及び第２端部４ｂは、共に、軸受４２と軸４３のクリアランス分だけ上昇し、吸い込み開口２１を閉じる。
【００６３】
フラットパネル４が軸４３を中心に回動して吸い込み開口２１を開ける動作は、室内機２が運転を開始するときであり、このとき、フィルタ６は、スライド部材６２の係止部６２ｃが本体２０に架かっているので、フラットパネル４の動作に追従しない。
【００６４】
（メンテナンス時のフラットパネル４の動作）
フィルタ６の清掃などのメンテナンスを行なうときは、図５の状態から紐７１を繰り出す。図５の状態は、突起部６２ｂが溝４１ｂに嵌まり込んでおり、フィルタ６がフラットパネル４に連結されている状態であり、フラットパネル４とフィルタ６とは一緒に降下することができる。また、軸受４２に軸４３が差し込まれていないので、フラットパネル４は、回動することなく、水平に降下することができる。
【００６５】
＜特徴＞
（１）
室内機２では、駆動ユニット５０が、スライド部材６２と押しカム６３を介して、通常時にはフィルタ６を本体２０に支持させ、メンテナンス時にはフィルタ６をフラットパネル４に支持させる切替え動作を行う。その結果、空気吸い込み時及びメンテナンス時以外は、吸い込み開口２１をフラットパネル４で完全に塞ぐことが可能となり、室内機２の内部が吸い込み開口２１を通して人目に触れる状況が減少し、意匠性が向上する。
【００６６】
なお、切替え動作は、運転が停止しているときに行われるので、振動等によってフィルタ６から塵埃が飛散した場合でも、フラットパネル４上に落下するだけであり、空調対象空間の床面に落下することはない。
【００６７】
また、スプリング６４が、スライド部材６２を付勢しているので、押しカム６３がスライド部材６２から離れたとき、スプリング６４によってスライド部材６２が元の位置へ復帰する。このため、スライド部材６２の移動機構が簡素化され、小型で軽量となる。その上、スプリング６４が金属製であるので、スプリング６４の耐久性が向上する。
【００６８】
（２）
室内機２は、メンテナンス時以外は、フィルタ６が本体２０に支持されているので、昇降ユニット７に作用する負荷はフラットパネル４の荷重だけとなり軽量である。その結果、室内機２の輸送時或は設置時の振動による機械的ダメージが軽減され、耐久性が向上する。また、フィルタ６が何にも支持されていない不安定な状態が存在しないので、フィルタ６の落下がなく安全である。
【００６９】
（３）
室内機２では、ライフサイクルの大部分を占める通常時において、フィルタ６とフラットパネル４とが連結されていないので、昇降ユニット７に作用する負荷はフラットパネル４の荷重だけとなり軽量である。その結果、昇降ユニット７に作用する機械的負荷が軽減され、耐久性が向上する。
【００７０】
（４）
室内機２では、フラットパネル４は、常に昇降ユニット７に複数点で吊り上げられて支持されており、メンテナンス時以外には、さらに軸受４２と軸４３との連結動作によって本体２０に支持されるので、フラットパネル４の揺れに対する抗力が高まる。
【００７１】
また、軸受４２と軸４３との連結動作または解除動作と、フィルタ６の支持母体の切替え動作とが連動しているので、動作音の発生時間が短縮されるので、使用者に違和感を与えることが防止される。
【００７２】
なお、軸受４２と軸４３との連結動作及び解除動作は、駆動ユニット５０を駆動源としているので、部品点数の低減となり低コストである。
【産業上の利用可能性】
【００７３】
以上のように、本発明によれば、運転停止時には、吸い込み開口が閉じられ、室内機内部が吸い込み開口を通して人目に触れることがないので、デザインを重視した居住空間に設置される室内機に有用である。
【図面の簡単な説明】
【００７４】
【図１】（ａ）本発明の一実施形態に係る室内機の運転停止時の斜視図。（ｂ）同室内機の運転時の斜視図。
【図２】フィルタの斜視図。
【図３】本発明の一実施形態に係る室内機のメンテナンス時の斜視図。
【図４】昇降ユニット内部の正面図。
【図５】図１（ａ）の室内機の内部を上方から視たときの部分斜視図。
【図６】駆動ユニットの内部を示す断面図。
【図７】第２フレーム及びスライド部材の斜視図。
【図８】図５の軸および押しカムを移動させた状態の斜視図。
【図９】図８のフラットパネルを開いた状態の斜視図。
【符号の説明】
【００７５】
２  室内機
４  フラットパネル
６  フィルタ
７  昇降ユニット（昇降手段）
８  パネル支持手段
９  フィルタ支持状態切替え手段
２０  本体
２１  吸い込み開口
４２  軸受（第１回転支持部）
４３  軸（第２回転支持部）
４３ａ  規制部
５０  駆動ユニット
６２  スライド部材
６３  押しカム
６４  スプリング
【図１】
0005061783.tif 000002
【図２】
0005061783.tif 000003
【図３】
0005061783.tif 000004
【図４】
0005061783.tif 000005
【図５】
0005061783.tif 000006
【図６】
0005061783.tif 000007
【図７】
0005061783.tif 000008
【図８】
0005061783.tif 000009
【図９】
0005061783.tif 000010